(57)【要約】【課題】  通常設置している旗、看板は静止した状態では人の目に付きにくい。しかし従来の技術ではこれらを動かすロボット装置は複雑または高価で、一度作ってしまうと表示内容が決まっており使用目的が限られるという問題点があった。【解決手段】  モーターの回転軸に取り付けたクランクと昇降軸を介して連結した昇降フレームが、動力の回転によって往復運動することで表示部を動かし通行人や通行車輛の注意を促進する。また昇降フレームに取りつれられた旗受けで、表示部を取り付け取り外せる機構により目的による表示部の変更が出来、使用領域を広げる。【選択図】図１
2005165245.tif 000002
【特許請求の範囲】
【請求項１】
モーターの回転軸に取り付けたクランクと昇降軸を介して連結した昇降フレームが、動力の回転によって往復運動することを特徴とした表示装置。
【請求項２】
昇降フレームに取りつれられた旗受けによって、表示部を取り付け取り外せる機構。
【請求項３】
請求項１の基台にキャスターや台車を取り付ける事で、使用目的にあった場所に移動可能な表示装置。
【請求項４】
センサーにより異常時に発せられる電気信号で、モーターを停止させる装置をもつ往復運動する表示装置。
【発明の詳細な説明】
【技術分野】
【０００１】  本発明は工事現場やイベント会場および店頭で、通行人および通行車輛から旗・看板をより気付きやすくさせるための往復運動する表示装置に関する
【背景技術】
【従来技術】
【０００２】  主に看板を動かそうとする装置はどうしても大掛かりになる。その他交通整理用を目的として、スイングアームにライトを取り付け、モーターで駆動させるロボットが使用されている。また看板に棒状ライトを取り付けてライトを動かすもの（特許文献１参照）もあるが、表示内容そのものが動くわけではない。
【特許文献】特開２００２−２８５５１８
【発明の開示】
【発明が解決しようとする課題】
【０００３】  通常設置している旗、看板は静止した状態では通行人の目に付きにくい。しかし従来の技術ではこれらを動かすロボット装置は複雑または高価で、また一度作ってしまうと表示内容が決まっており使用目的が限られるという問題点があった。【０００４】  本発明は、看板および旗の表示部を動かした上で従来のもののように使用目的を限定しないためのものである。
【課題を解決するための手段】
【０００５】  装置を安価に押さえるため複雑な機構は使用せずに、モーターの回転軸にクランクを取り付け、クランクに軸を介したアームと、ガイド支柱を貫通して昇降フレームと接続された昇降軸を連結させ、クランクの回転によりガイド支柱の昇降溝を昇降軸および昇降フレームが溝に沿って往復する。これによって看板および旗の表示部に動きを持たせて通行人の注意を促進する。【０００６】  看板および旗そのものを動かすのでなく、往復運動のための昇降フレームに旗および看板の表示部を取り付ける機構により、表示部を固定されず使用領域が広がる。昇降フレームに取り付けられた旗受けと、旗受け部に設置する旗パイプ押さえによって表示部は取り付け取り外せる。また旗受け上部のスライドアームによって旗受け上部の位置を段階的に可変させ、旗の大きさによって旗受けの上部の位置を調整する事が出来る。【０００７】  基台に台車やキャスターを取り付ける事で本体を使用目的にあわせて移動させる。【０００８】  昇降フレームとアームの取り付け方を変えることにより、上下だけでなく、左右や円周上の動作をすることが出来る。【０００９】  地震や転倒時の安全対策として、転倒停止装置をガイド支柱に設置する。棒状のスイッチを設置する取付座を固定軸でガイド支柱に設置し、強い衝撃や傾斜の際にスイッチがガイド支柱内側に接触すると、電気信号でモーターを停止させる。また取付座には錘を取り付け、平時にスイッチが作動しないよう抑制する。加えて錘を取り付けるピンには遊びを設け、錘は常時垂直方向に保持される。
【発明の効果】
【００１０】  上述のように、看板および旗の表示部を動かす事で通行人や通行車輛の目に気付きやすくする。【００１１】  看板および旗の表示部を取り付け取り外す事で、表示部が固定されないため使用領域が広がる。工事であれば現場を固定されず、広告であれば季節によって表示部を変更する事が簡単に出来る。
【発明を実施するための最良の形態】
【００１２】  以下、本発明の形態を図１〜図９に基づいて説明する。【００１３】  図において、１０のスイッチをオンにすると、１１からの電力により駆動する１２で７ｂは回転する。７ｂと７は７ａによって連結し、７は１を貫通して５と接続されている。よって７ｂの回転により１下部にある８沿いを７が上下し、連動して５も５ａから５ｂ間の移動幅で上下の往復運動をする。【００１４】  ５に取り付けられた２、３、６によって旗の表示部は取り付け取り外す事が出来る。３は旗上部のパイプを受け、６は旗下部のパイプを受ける。２はそれぞれの旗受けに乗せた旗パイプを２ａで上から押さえて固定する。【００１５】  図２図４は７ａと７ｂと１２の関係を示した正面図と側面図である。１２によって７ｂが回転し、７中央部と７ｂを連結させている７ａが７ｂの回転によって７を８沿いに昇降させる。【００１６】  図３は図２Ａ−Ａの断面図で、５、１、４と４ａ、７および７ａの位置関係を示したものである。７ｃは７の昇降によって８と摩擦し、部材が磨り減ることを防ぐスライドブッシュである。【００１７】  図５は７ａ、７ｂ、１２の連結部を示した側面図である。【００１８】  図６図７は、それぞれ目的用途に合わせて１４、１５を取り付けた形態を示したものである。尚、図７の１５を取り付けたものに関しては、１１の取っ手を取り付ける事で、移動させやすい上に昇降部に手を触れにくいよう安全対策の役割も果たしている。【００１９】  図８は旗止め部を詳細に示したものである。２は表示部一面につき、上部に２つ下部に１つ設置し２ａによって旗パイプを押さえて固定する。また２ｂでパイプの固定を外せるので、取り付け取り外し毎に２ａを調整する必要がない。また３ａは段階的にスライドし、旗の大きさに合わせて３の位置を可変する事が出来る。３ｂは３ａを固定するためのボルトである。【００２０】  図９は安全対策として１に設置する転倒停止装置である。１６を設置する１６ａは１６ｂで１に取り付け、強い衝撃や傾斜の際に１６が１の内側に接触すると、電気信号で１２を停止させる。また１６ａには１７を取り付け、平時に１６が作動しないよう抑制する。加えて１７を取り付けるピンには遊びを設け、１７は常時垂直方向に保持される。
【図面の簡単な説明】
【００２１】
【図１】全体図
【図２】クランク軸正面
【図３】図２におけるＡ−Ａ断面図
【図４】クランク軸側面
【図５】モーターおよびクランクアーム詳細側面図
【図６】キャスター付き
【図７】台車付き
【図８】旗受け部詳細
【図９】転倒停止装置
【符号の説明】
【００２１】  １  ガイド支柱
２  旗パイプ押さえ
２ａ  クランプピン
２ｂ  押さえ解除レバー
３  旗受け上部
４  ローラー
４ａ  ローラー軸
５  昇降フレーム
５ａ  旗パイプ上部昇降幅最上位置
５ｂ  旗パイプ上部昇降幅最下位置
６  旗受け下部
７  昇降軸
７ａ  アーム
７ｂ  クランクアーム
７ｃ  スライドブッシュ
８  昇降溝
９  基台
１０  入力電源スイッチ
１１  入力コード
１２  モーター
１３  リング状取っ手
１４  キャスター
１５  台車
１６  転倒停止スイッチ
１６ａ  取付座
１６ｂ  固定軸
１７  錘
【図１】
2005165245.tif 000003
【図２】
2005165245.tif 000004
【図３】
2005165245.tif 000005
【図４】
2005165245.tif 000006
【図５】
2005165245.tif 000007
【図６】
2005165245.tif 000008
【図７】
2005165245.tif 000009
【図８】
2005165245.tif 000010
【図９】
2005165245.tif 000011